(57)【要約】【課題】線材を切断しなくてもニップルを点検することが可能な被覆ケーブル用金型を提供する。【解決手段】軸方向に心線を通す第一貫通孔が設けられ、外周に先細りの雄ガイド面を有するニップル２と、軸方向に第一貫通孔よりも大きい第二貫通孔が設けられ、第二貫通孔に連なり雄ガイド面と間隙を介して対向する雌ガイド面を有するダイス３とを備え、両貫通孔に後方から心線を走行させるとともに前記間隙に後方から樹脂を流し込み、心線の周囲に樹脂を成形するものにおいて、前記ニップル２が、前記雄ガイド面を有し、軸方向に嵌合孔が設けられたアウターエレメント２１と、互いに組み合わせられて第一貫通孔を形成するとともに嵌合孔の内周面に嵌合可能な外周面を有し、第一貫通孔の軸中心線に沿って分離可能な複数のインナーエレメント２２、２３とからなることを特徴とする。【選択図】図３
2007035470.tif 000002
【特許請求の範囲】
【請求項１】
軸方向に心線を通す第一貫通孔が設けられ、外周に先細りの雄ガイド面を有するニップルと、軸方向に第一貫通孔よりも大きい第二貫通孔が設けられ、第二貫通孔に連なり雄ガイド面と間隙を介して対向する雌ガイド面を有するダイスとを備え、両貫通孔に後方から心線を走行させるとともに前記間隙に後方から樹脂を流し込み、心線の周囲に樹脂を成形するものにおいて、前記ニップルが、
前記雄ガイド面を有し、軸方向に嵌合孔が設けられたアウターエレメントと、
互いに組み合わせられて第一貫通孔を形成するとともに嵌合孔の内周面に嵌合可能な外周面を有し、第一貫通孔の軸中心線に沿って分離可能な複数のインナーエレメントと
からなることを特徴とする被覆ケーブル用金型。
【請求項２】
前記嵌合孔が先細り形状を有する請求項１に記載の被覆ケーブル用金型。
【発明の詳細な説明】
【技術分野】
【０００１】
この発明は、被覆ケーブル用金型に関する。特に、電柱などの架空に敷設される光ファイバーケーブル、光ファイバーケーブルから各ユーザー宅に分配するための光ドロップケーブル等において光ファイバーの周囲に被覆樹脂を成形するための金型として好適に利用されうる。
【背景技術】
【０００２】
例えば光ドロップケーブルは、図４に径方向断面図として示すように、一般に光ファイバー心線１０２と、心線の両側に配置されて細い心線を保護するテンションメンバ１０３と、ケーブルの自重を支える鋼製の太い支持線１０４と、これらを被覆する樹脂からなる被覆材１０５とからなっている。
このような被覆ケーブルは一般に、軸方向に心線、テンションメンバ、支持線などの線材を通す貫通孔が設けられたニップル、及びそれよりも大きい貫通孔が設けられたダイスを用いて線材の周囲に被覆材が成形される。即ち、外側にダイス、内側に間隙を介してニップルを配置し、両貫通孔に後方から接着剤を塗布した線材を走行させるとともに前記間隙に後方から樹脂を流し込み、ダイスの貫通孔から線材を樹脂と一緒に押し出すことにより、線材の周囲に樹脂を成形するのである。
【０００３】
ところで、心線は前記の通り、線材の中でも特に細くて損傷を受けやすく、テンションメンバから剥がれた接着剤カスやニップル内部のゴミ等により損傷を受けることがある。そして、損傷すると伝送特性が悪化する。従って、一旦損傷すると樹脂の流し込みを停止し、心線だけでなく同じ位置にある支持線及びテンションメンバをも切断してニップルを取り出し、ニップル内部を点検しなければならない。
このような不都合を回避するために、ニップル内部に金属パイプを設け、それに心線を通すことにより心線を他のテンションメンバから遮蔽し、心線に異物が接近するのを防止する方法が提案されている（特許文献１）。
【特許文献１】特開２００５−１２１７４９
【発明の開示】
【発明が解決しようとする課題】
【０００４】
しかし、特許文献１に記載の方法であっても心線が損傷を受けないという保証は無く、一旦損傷したり異物が侵入したりすると全ての線材を切断してニップルを取り出さなければならないという点に変わりはない。
それ故、この発明の課題は、線材を切断しなくてもニップルを点検することが可能な被覆ケーブル用金型を提供することにある。
【課題を解決するための手段】
【０００５】
その課題を解決するために、この発明の被覆ケーブル用金型は、
軸方向に心線を通す第一貫通孔が設けられ、外周に先細りの雄ガイド面を有するニップルと、軸方向に第一貫通孔よりも大きい第二貫通孔が設けられ、第二貫通孔に連なり雄ガイド面と間隙を介して対向する雌ガイド面を有するダイスとを備え、両貫通孔に後方から心線を走行させるとともに前記間隙に後方から樹脂を流し込み、心線の周囲に樹脂を成形するものにおいて、前記ニップルが、
前記雄ガイド面を有し、軸方向に嵌合孔が設けられたアウターエレメントと、
互いに組み合わせられて第一貫通孔を形成するとともに嵌合孔の内周面に嵌合可能な外周面を有し、第一貫通孔の軸中心線に沿って分離可能な複数のインナーエレメントと
からなることを特徴とする。
【０００６】
この発明の金型によれば、ニップルのうち、心線を通す第一貫通孔を形成するインナーエレメントが第一貫通孔の軸中心線に沿って分離可能であるから、心線を含む全ての線材をアウターエレメント及びダイスに通した状態でインナーエレメントをアウターエレメントと分離して取り出すことができる。取り出し中もアウターエレメントが線材を包囲しているから、樹脂が嵌合孔に流れ込むことはない。そして、心線損傷の主な原因は、心線と接触する第一貫通孔の状況にあるから、インナーエレメントを清掃もしくは交換して再度アウターエレメント内に嵌合することにより、成形作業を再開することができる。
前記嵌合孔が先細り形状を有すると好ましい。嵌合時にインナーエレメントがアウターエレメントに密着しやすいし、取り出しも容易となるからである。
【発明の効果】
【０００７】
線材を切断しなくてもニップルを点検することができるので、生産性が向上し、生産コストを低減することができる。
【発明を実施するための最良の形態】
【０００８】
以下、この発明を実施形態に基づいて図面と共に具体的に説明する。図１は実施形態に係る被覆ケーブル用金型を示す正断面図、図２は同じく平断面図、図３は分解平断面図である。被覆ケーブル用金型１は、図４に示したような被覆ケーブルの被覆材としての樹脂を成形するための金型であって、仮想線で示す光ファイバー心線１０２、テンションメンバ１０３及び支持線１０４を通す貫通孔２ａ、２ｂ、２ｃが軸方向に設けられたニップル２と、ダイス３とを備える。
【０００９】
ダイス３は、前記の線材全てを余裕を持って通す貫通孔３ａ及び貫通孔３ａに連なる末広がりの雌ガイド面３ｃを有するスリーブ状をなす。
ニップル２は、外周に雌ガイド面３ｃと間隙４を介して対向する先細りの雄ガイド面２ｄを有し、軸方向に嵌合孔２ｅが設けられたアウターエレメント２１と、一対のインナーエレメント２２、２３とからなる。インナーエレメント２２、２３は、互いに鏡像体であって、貫通孔２ａ、２ｂ、２ｃを軸方向に半割してなる断面半円形の溝を合わせ面に有する。従って、インナーエレメント２２、２３は、互いに組み合わせられて貫通孔２ａ、２ｂ、２ｃを形成するとともに外周面２ｆ、２ｇが嵌合孔２ｅの内周面に嵌合されうる。嵌合孔２ｅは、やや先細り形状をなしている。
【００１０】
金型１を用いて線材の周囲に樹脂を成形する場合は、インナーエレメント２２、２３をアウターエレメント２１内に装着し、雄ガイド面２ｄが雌ガイド面３ｂと所定の間隙４を介して対向するようにニップル２をダイス３に対して固定する。そして、光ファイバー心線１０２、テンションメンバ１０３及び支持線１０４を各々貫通孔２ａ、２ｂ、２ｃに通し、更に貫通孔３ａに通す。そして、これらの線材を走行させながら、間隙４に後方から樹脂を流し込み、貫通孔３ａより線材１０２、１０３、１０４を樹脂とともに押し出す。
【００１１】
成形作業中に心線１０２が断線したり異物の侵入が検出されたりしたときは、樹脂の流し込みを中断し、貫通孔３ａよりインナーエレメント２２、２３の前端面を押すことにより、インナーエレメント２２、２３をアウターエレメント２１から取り出す。そして、インナーエレメント２２、２３を清掃もしくは交換して再度アウターエレメント２１内に嵌合することにより、成形作業を再開することができる。
【図面の簡単な説明】
【００１２】
【図１】実施形態に係る被覆ケーブル用金型を示す正断面図である。
【図２】同じく平断面図である。
【図３】同じく分解平断面図である。
【図４】被覆ケーブルを示す径方向断面図である。
【符号の説明】
【００１３】
１  被覆ケーブル用金型
２  ニップル
２１  アウターエレメント
２２、２３  インナーエレメント
３  ダイス
【図１】
2007035470.tif 000003
【図２】
2007035470.tif 000004
【図３】
2007035470.tif 000005
【図４】
2007035470.tif 000006